(57)【要約】【課題】  血液検査で実施される項目に応じた適切な採血量を算出する。【解決手段】  オーダリング／電子カルテシステム１０から検査部門システム２０に検査オーダを送り、検査部門システム２０の採血量算出処理部３０によってその検査オーダから患者の検査項目を抽出し、検査項目ごとの検査に必要な血清量があらかじめ記録されている検査項目テーブル３１を用いて、その血清量からその患者の検査に必要となる採血量を算出する。検査に必要な血清量を用いて採血量を算出することにより、適切な採血量を算出することができ、これにより、採血量に過不足が発生することがなく、再採血や必要量以上の採血で患者に無用な負担をかけたり、採血業務が遅延したりするのを防止することが可能になる。【選択図】  図１
2005202451.tif 000002
【特許請求の範囲】
【請求項１】
コンピュータに採血量を算出する処理を実行させる採血量算出処理プログラムにおいて、
コンピュータを、
患者の検査オーダから検査項目を抽出する抽出手段、
前記検査項目の検査に必要な血清量が記録された検査項目テーブルを参照して、前記血清量を用いて採血量を算出する算出手段、
として機能させることを特徴とする採血量算出処理プログラム。
【請求項２】
採血量を算出する採血量算出処理装置において、
患者の検査オーダから検査項目を抽出する抽出手段と、
前記検査項目の検査に必要な血清量が記録された検査項目テーブルを参照して、前記血清量を用いて採血量を算出する算出手段と、
を有することを特徴とする採血量算出処理装置。
【請求項３】
コンピュータに採血量を算出する処理を実行させる採血量算出処理プログラムを記録した採血量算出処理プログラム記録媒体において、
コンピュータを、
患者の検査オーダから検査項目を抽出する抽出手段、
前記検査項目の検査に必要な血清量が記録された検査項目テーブルを参照して、前記血清量を用いて採血量を算出する算出手段、
として機能させることを特徴とする採血量算出処理プログラムを記録した採血量算出処理プログラム記録媒体。
【発明の詳細な説明】
【技術分野】
【０００１】
本発明は採血量算出処理プログラム、採血量算出処理装置および採血量算出処理プログラム記録媒体に関し、特に、患者から採血を行うためにその患者の検査に必要な採血量を算出する採血量算出処理プログラム、採血量算出処理装置および採血量算出処理プログラム記録媒体に関する。
【背景技術】
【０００２】
近年、医療機関では、カルテを電子的に記録保存する電子カルテシステムに、検査部門に対して血液検査などの検査オーダを発行するオーダリングシステムを組み込んだシステムが導入されてきている。
【０００３】
このようなシステムにおいては、例えば同一患者について複数の診療科から同一検査項目を含んだ検査オーダを発行してしまうといった重複オーダの発生が問題となることがあった。この問題に対し、同一患者の複数の診療科からの検査オーダを併合し、重複する検査項目のない検査オーダに編集し直してから、それを検査部門に発行する医療情報管理システムが提案されている（例えば特許文献１参照）。
【０００４】
ところで、血液検査には、採血後の血液をそのまま用いるものと、血液から分離した血清を用いるものの２種類があり、検査項目ごとに必要な血液量や血清量が定められている。したがって、本来、血液検査で実施する検査項目の種類やその数によって必要な採血量が異なってくる。従来は、検査項目数から採血量を求め、その採血量に合わせて採取容器を選択して採血を行い、各検査項目の検査を実施していた。
【特許文献１】特開２００２−５６０８７号公報（段落番号〔００３２〕〜〔００４１〕，図３）
【発明の開示】
【発明が解決しようとする課題】
【０００５】
しかし、実施検査項目によって必要となる採血量が異なるため、単に検査項目数のみを考慮して採血量を求めると、検査時に血液や血清の過不足が発生してしまう場合がある。血清を用いた検査の場合、一般に血清が採血量の半分程度となることから、本来はその点を考慮して採血量を求める必要がある。血清を用いる検査項目を含んだ検査オーダについて、単純に検査項目数から採血量を求めてしまうと、検査時にその検査オーダのすべての検査項目を実施できるだけの血液が確保できなくなる場合がある。
【０００６】
患者にとっては、検査時の血液不足によって再採血される場合であっても、採血時に必要以上の血液を採取される場合であっても、いずれも負担になる。また、再採血が必要になれば、それによって検査に遅れが生じることにもなる。
【０００７】
また、採血の際には、その採血量に応じた容量の採取容器が用いられる。通常、採取容器は複数種用意されており、採血量に応じて用いる採取容器が選択される。したがって、求められた採血量が適切でなければ、用いる採取容器も誤ることとなり、逆にそのときの採血量から検査可能な項目を経験的に決定することも行われる場合がある。
【０００８】
本発明はこのような点に鑑みてなされたものであり、実施検査項目に応じた適切な採血量を算出するための採血量算出処理プログラム、およびそれを記録した採血量算出処理プログラム記録媒体を提供することを目的とする。
【０００９】
また、本発明は、実施検査項目に応じた適切な採血量を算出する採血量算出処理装置を提供することを目的とする。
【課題を解決するための手段】
【００１０】
本発明では上記課題を解決するために、コンピュータに採血量を算出する処理を実行させる採血量算出処理プログラムが提供される。本発明の採血量算出処理プログラムは、コンピュータを、患者の検査オーダから検査項目を抽出する抽出手段、前記検査項目の検査に必要な血清量が記録された検査項目テーブルを参照して、前記血清量を用いて採血量を算出する算出手段、として機能させることを特徴とする。
【００１１】
このような採血量算出処理プログラムによれば、図１に示すように、検査部門システムサーバ２１の採血量算出処理部３０が、検査依頼ＤＢ２８に格納されている患者の検査オーダから検査項目コードによって検査項目を抽出し、各検査項目の検査に必要な血清量が記録された検査項目テーブル３１を参照して、その血清量を用いて検査に必要な採血量を算出する。検査に必要な血清量を用いて採血量を算出することにより、適切な採血量が算出されるようになる。
【００１２】
また、本発明では、採血量を算出する採血量算出処理装置において、患者の検査オーダから検査項目を抽出する抽出手段と、前記検査項目の検査に必要な血清量が記録された検査項目テーブルを参照して、前記血清量を用いて採血量を算出する算出手段と、を有することを特徴とする採血量算出処理装置が提供される。
【００１３】
このような採血量算出処理装置によれば、抽出手段が、患者の検査オーダから検査項目を抽出し、算出手段が、その検査項目の検査に必要な血清量が記録された検査項目テーブルを参照して採血量を算出する。
【００１４】
また、本発明では、コンピュータに採血量を算出する処理を実行させる採血量算出処理プログラムを記録した採血量算出処理プログラム記録媒体において、コンピュータを、患者の検査オーダから検査項目を抽出する抽出手段、前記検査項目の検査に必要な血清量が記録された検査項目テーブルを参照して、前記血清量を用いて採血量を算出する算出手段、として機能させることを特徴とする採血量算出処理プログラムを記録した採血量算出処理プログラム記録媒体が提供される。
【００１５】
このような採血量算出処理プログラム記録媒体によれば、コンピュータが、患者の検査オーダから検査項目を抽出し、その検査項目の検査に必要な血清量が記録された検査項目テーブルを参照して採血量を算出する。
【発明の効果】
【００１６】
本発明によれば、検査に必要な血清量から採血量を算出するので、実施検査項目に応じその検査に必要になる適切な採血量を算出することができる。これにより、採血量に過不足が発生することがなく、再採血や必要量以上の採血で患者に無用な負担をかけたり、採血業務が遅延したりするのを防止することが可能になる。
【発明を実施するための最良の形態】
【００１７】
以下、本発明の実施の形態を、血液検査の検査オーダに含まれている検査項目に応じて採血量を算出し、さらにその算出結果を用いて血液採取容器に貼付するラベルを作成する採血量算出システムを例に、図面を参照して詳細に説明する。
【００１８】
まず、血液検査で実施される検査項目と採血量の関係について説明する。図２は検査項目と採血量の関係の説明図であって、（Ａ）は採血後の血液をそのまま検査に用いる場合、（Ｂ）は採血後の血液から分離した血清を検査に用いる場合をそれぞれ示している。
【００１９】
血液検査で実施される検査項目としては、例えば、図２（Ａ）に示す赤血球数、白血球数、血小板数のほか、図２（Ｂ）に示すＳｃｌ−７０、リゾチーム、ＣＨ５０、抗ＤＮＡ抗体等がある。
【００２０】
ここで、Ｓｃｌ−７０は、全身性進行性強皮症に見られる自己抗体である。リゾチームは、あらゆる組織や体液に存在して溶菌現象によって生体の防御機構として働く酵素であり、単球性白血病の診断や経過観察に用いられる。ＣＨ５０は、感作赤血球を５０％溶血させる補体の量であって、Ｃ１〜Ｃ９なる補体の総活性を反映し、補体の生産性低下、消費亢進で低値となる。抗ＤＮＡ抗体は、ＤＮＡ抗体に対する自己抗体であり、膠原病の診断に用いられる。
【００２１】
ここに例示したような検査項目のうち、赤血球数、白血球数、血小板数の検査には、採血後の血液がそのまま用いられる。例えば、図２（Ａ）に示したように、採取容量２ｍｌのエチレンジアミン四酢酸二カリウム塩（ＥＤＴＡ−２Ｋ）入りの血液学的容器１００に血液１０１を約２ｍｌ採取し、これをそのまま用いて赤血球数等の各項目の検査を実施する。したがって、これらの項目についての検査を行う場合には、血清量を考慮した採血量の算出は不要であり、採血には採取容量２ｍｌの血液学的容器１００が１つ用いられ、採血に当たってはそれに貼付するラベルが１枚作成される。
【００２２】
一方、Ｓｃｌ−７０、リゾチーム、ＣＨ５０、抗ＤＮＡ抗体の検査には、採血後の血液から分離した血清が用いられる。例えば、図２（Ｂ）に示したように、採取容量３ｍｌ，６ｍｌ，９ｍｌの分離剤入り汎用容器２００に血液２０１を所定量採取し、これを遠心分離した後、上澄みの血清部分２０２を用いて検査が実施される。
【００２３】
Ｓｃｌ−７０、リゾチーム、ＣＨ５０、抗ＤＮＡ抗体の検査では、検査に必要になる血清量（以下「必要血清量」という。）がそれぞれ定められている。例えば、現在は、Ｓｃｌ−７０、リゾチームおよびＣＨ５０の検査では各０．５ｍｌ、抗ＤＮＡ抗体の検査では０．２ｍｌの血清がそれぞれ必要になる。一般に、血清は採血量の半分程度であり、また、血清を用いた検査の場合、現在は採取した血清を一定量、一定期間保存する運用になっている。したがって、この検査を行う場合、採血には必要血清量と血清保存量を確保できるだけの量の血液を採取可能な１つまたは２つ以上の汎用容器２００が用いられ、採血に当たってはその汎用容器２００と同数のラベルが必要になる。
【００２４】
次に、採血量算出システムの概略について説明する。図１は採血量算出システムの原理説明図である。図１に示す採血量算出システム１は、院内ＬＡＮ（Local Area Network）を使用してイントラネットが構築されているオーダリング／電子カルテシステム１０および検査部門システム２０を用いて構成される。
【００２５】
オーダリング／電子カルテシステム１０は、患者に必要な血液検査の項目や患者ＩＤ等を含む検査オーダが入力されるオーダリングシステム端末１１ａ，１１ｂ，１１ｃ、これらのオーダリングシステム端末１１ａ，１１ｂ，１１ｃにＬＡＮを介して接続され、それぞれに入力された検査オーダを受け取って所定の処理を行うオーダリングシステムサーバ１２を有する。オーダリングシステム端末１１ａ，１１ｂ，１１ｃには、例えばパーソナルコンピュータ（ＰＣ）を用いることができ、オーダリングシステムサーバ１２には、例えばＰＣのほかワークステーション（ＷＳ）を用いることができる。
【００２６】
オーダリングシステム端末１１ａ，１１ｂ，１１ｃはそれぞれ、画像情報を表示するディスプレイなどの表示手段、医師によって検査オーダが入力されるキーボードやマウスなどの入力手段、オーダリングシステムサーバ１２が有する情報を受信し、また、入力された検査オーダをオーダリングシステムサーバ１２に送信する通信手段等を備える。
【００２７】
オーダリングシステムサーバ１２は、表示手段、入力手段や、オーダリングシステム端末１１ａ等および検査部門システム２０との通信手段等を備える。また、オーダリングシステムサーバ１２は、検査オーダデータベース（ＤＢ）１３を有し、オーダリングシステム端末１１ａ，１１ｂ，１１ｃから受け取った検査オーダは、この検査オーダＤＢ１３に格納される。
【００２８】
オーダリングシステムサーバ１２のオーダ連携処理部１４は、検査オーダＤＢ１３内の検査オーダを用いてオーダ連携処理を行う。このオーダ連携処理では、例えば、患者ＩＤをキーにして検査オーダＤＢ１３内を検索し、オーダリングシステム端末１１ａ，１１ｂ，１１ｃから１人の患者について重複した項目の検査依頼がある場合には、重複項目を含まない検査オーダを生成し、それを検査部門システム２０に送信する。重複項目がなければその検査オーダをそのまま検査部門システム２０に送信する。
【００２９】
なお、ここでは３台のオーダリングシステム端末１１ａ，１１ｂ，１１ｃがオーダリングシステムサーバ１２に接続されている場合について述べたが、その台数はこれに限定されるものではない。例えば診療科ごとあるいは医師ごとにオーダリングシステム端末を用意し、それぞれをオーダリングシステムサーバ１２に接続した構成とすることができる。
【００３０】
検査部門システム２０は、オーダリングシステムサーバ１２から検査オーダを受け取って所定の処理を行うＰＣやＷＳ等の検査部門システムサーバ２１、この検査部門システムサーバ２１にＬＡＮを介して接続されたＰＣ等の検査部門システム端末２２，２３、検査部門システム端末２２に接続されたカードリーダ２４、および採取容器に貼付するラベル２５を印刷するラベルプリンタ２６を有する。
【００３１】
検査部門システムサーバ２１は、表示手段、入力手段のほか、検査部門システム端末２２，２３およびオーダリングシステムサーバ１２との通信手段等を備える。検査部門システムサーバ２１の検査依頼連携処理部２７は、オーダリングシステムサーバ１２から受け取った検査オーダを検査依頼ＤＢ２８に格納する。
【００３２】
検査部門システム端末２２，２３は、表示手段、入力手段のほか、検査部門システムサーバ２１との通信手段等を備える。検査部門システム端末２２は、患者のＩＤ等が磁気記録されている診察カード４０からカードリーダ２４で読み取ったその患者ＩＤを検査部門システムサーバ２１に送信し、また、検査部門システムサーバ２１が有する情報を受信する。検査部門システムサーバ２１では、検査部門システム端末２２から受け取った患者ＩＤを用い、検査依頼ＤＢ２８からその患者についての検査オーダが検索される。あるいは、検査部門システム端末２２において看護士等が直接患者ＩＤを入力し、これを検査部門システムサーバ２１に送信する構成としてもよい。
【００３３】
また、検査部門システムサーバ２１は、患者ＩＤから特定される検査オーダを基に、採血量算出処理部３０における採血量の算出処理を行う。この採血量算出処理には、各検査項目の必要血清量等を記録した検査項目テーブル３１および採取容器の種類やその容量等を記録した採取容器テーブル３２が用いられる。検査項目テーブル３１および採取容器テーブル３２の内容は、検査部門システム端末２３を用いて設定される。
【００３４】
採血量算出処理では、患者の検査に必要になる採血量（以下「必要採血量」という。）が算出され、また、採取容器に貼付するラベル２５の記載内容のデータ（以下「ラベルデータ」という。）が生成される。ラベル２５に記載すべき事項としては、例えば採血時に用いる採取容器の種類（汎用容器、血液学的容器）とその容量（あるいは採血量）のほか、患者ＩＤや患者氏名等である。このようなラベルデータが採血量算出処理部３０からラベルプリンタ２６に出力されて所定のラベル用紙に印刷され、ラベル２５が作成される。
【００３５】
このような採血量算出システム１において、まず、患者がある診療科で診察を受け、その診療科の医師によって血液検査が必要と判断された場合には、その医師は、例えばオーダリングシステム端末１１ａに検査オーダを入力する。入力された検査オーダは、オーダリングシステムサーバ１２に送られ、検査オーダＤＢ１３に格納される。患者は、医師等の指示に従い、更に診察を受けるために別の診療科へ移動するか、あるいは採血のために検査部門へ移動する。患者が別の診療科で診察を受け、そこで医師がその患者に血液検査が必要と判断すれば、上記同様、その医師は、例えばオーダリングシステム端末１１ｂに検査オーダを入力し、入力された検査オーダが検査オーダＤＢ１３に格納される。検査オーダＤＢ１３内の検査オーダは、オーダリングシステムサーバ１２でのオーダ連携処理を経て、検査部門システムサーバ２１に送られ、検査依頼連携処理によって検査依頼ＤＢ２８に格納される。
【００３６】
患者が検査部門に移動すると、検査部門では、例えば、検査受付けの際にその患者の診察カード４０から患者ＩＤがカードリーダ２４で読み取られ、その患者ＩＤが検査部門システムサーバ２１に送られる。検査部門システムサーバ２１では、患者ＩＤから検査依頼ＤＢ２８内のその患者の検査オーダが検索され、その検査オーダを基に、検査項目テーブル３１および採取容器テーブル３２を用いて必要採血量が算出され、ラベル２５のラベルデータが生成される。そして、そのラベルデータがラベルプリンタ２６に出力され、ラベル２５が作成される。看護士等は、このようなラベル２５が貼付された採取容器を用いて、算出結果に基づく量（例えばラベル２５に記載されている量）の血液を患者から採取することになる。
【００３７】
以下、このような採血量算出システム１の構成および処理についてより詳細に説明する。
まず、図１に示したオーダリングシステム端末１１ａ等、オーダリングシステムサーバ１２、検査部門システムサーバ２１および検査部門システム端末２２，２３はＰＣやＷＳなどのコンピュータであり、次の図３に示すようなハードウェア構成を有する。
【００３８】
図３はコンピュータのハードウェア構成例である。この図３に示すコンピュータ３００は、ＣＰＵ（Central Processing Unit）３０１、ＲＯＭ（Read Only Memory）３０２、ＲＡＭ（Random Access Memory）３０３、ＨＤＤ（Hard Disk Drive）３０４、グラフィック処理部３０５、入力Ｉ／Ｆ（Interface）３０６、通信Ｉ／Ｆ３０７等によって構成され、これらはバス３０８を介して接続されている。
【００３９】
ここで、ＣＰＵ３０１は、ＨＤＤ３０４に格納されているプログラムや、図１に示した各種ＤＢで管理されたデータに応じて処理を実行する。ＲＯＭ３０２は、ＣＰＵ３０１が実行する基本的なプログラムやデータを格納する。ＲＡＭ３０３は、ＣＰＵ３０１が実行途中のプログラムやデータを格納する。ＨＤＤ３０４には、ＣＰＵ３０１が実行するＯＳ（Operation System）やアプリケーションプログラム、各種ＤＢなどが格納される。グラフィック処理部３０５には、ディスプレイなどの表示装置３０５ａが接続され、グラフィック処理部３０５は、ＣＰＵ３０１からの描画命令に従って表示装置３０５ａの画面上に画像を表示させる。入力Ｉ／Ｆ３０６には、マウス３０６ａやキーボード３０６ｂが接続され、これらによってユーザが入力した情報を受信し、バス３０８を介してＣＰＵ３０１に送信する。通信Ｉ／Ｆ３０７は、各コンピュータ間のＬＡＮ接続のためのインタフェースである。このようなハードウェア構成を有するコンピュータによって採血量算出システム１における各処理機能が実現される。
【００４０】
続いて、採血量算出システム１における検査オーダの受付処理について説明する。
図４および図５は検査オーダの受付処理を説明する図であって、図４は患者ＩＤ等の入力画面の表示例、図５は依頼する検査項目の指定画面の表示例である。
【００４１】
図４に示すオーダリングシステム端末１１ａ等の入力画面５０では、患者を診察した医師によって、検査部門に検査を依頼する医師の氏名５１とその診療科名５２が入力され、検査が行われる患者の患者ＩＤ５３が入力される。なお、医師の氏名５１、診療科名５２はそれぞれ、オーダリングシステムサーバ１２において医師のＩＤ（依頼医師ＩＤ）、診療科のコード（依頼元コード）と対応付けられて設定、管理されている。また、入力画面５０において、医師の氏名５１、診療科名５２に代えて、依頼医師ＩＤ、依頼元コードを直接入力できる構成としてもよい。
【００４２】
医師の氏名５１、診療科名５２、患者ＩＤ５３の各項目が入力された後に検査入力ボタン５４が操作されると、図５に示す検査項目の指定画面６０に切り替わる。検査項目の指定画面６０では、前の入力画面５０で入力された医師の氏名５１および診療科名５２（依頼医師ＩＤ、依頼元コードが入力されている場合には依頼医師ＩＤおよび依頼元コード）のほか、検査部門で実施される検査項目一覧６１が表示される。この検査項目一覧６１の中から患者に必要な１または２以上の検査項目が医師によって選択され、検査部門に依頼する検査項目が指定される。検査項目の選択・指定は、各検査項目の先頭にあるチェックボックスによって行うことができ、例えば、指定されていない検査項目のチェックボックスは空白で、指定されている検査項目のチェックボックスは黒く反転等する。この図５には、検査項目一覧６１のすべての項目が指定されている場合を例示している。
【００４３】
検査項目の指定が終了した時点で、指定画面６０内の送信ボタン６２が操作されると、入力画面５０および指定画面６０で入力した内容が検査オーダとしてオーダリングシステムサーバ１２に所定のデータ形式で送信され、検査オーダＤＢ１３に格納される。また、戻るボタン６３が操作された場合には、前の入力画面５０に切り替わり、患者ＩＤ等の再入力が可能な状態になる。
【００４４】
なお、指定画面６０において指定される検査項目はそれぞれ、オーダリングシステムサーバ１２、検査部門システムサーバ２１において検査項目コードと対応付けられて設定、管理されている。
【００４５】
図６は検査オーダＤＢの構成例である。検査オーダＤＢ１３には、入力画面５０および指定画面６０での入力を受けて依頼医師ＩＤ、依頼元コード、患者ＩＤおよび指定された検査項目に対応した検査項目コードが、更に伝票番号と検査実施日を付加されて格納される。
【００４６】
検査オーダＤＢ１３には、オーダリングシステム端末１１ａ等からのすべての検査オーダが格納される。オーダリングシステムサーバ１２は、このような検査オーダＤＢ１３を用いてオーダ連携処理を行い、検査オーダを検査部門システムサーバ２１に送信する。検査部門システムサーバ２１に送られた検査オーダは、検査依頼連携処理を経て、検査依頼ＤＢ２８に格納される。検査依頼ＤＢ２８の内容は、検査オーダＤＢ１３の内容と同じである。
【００４７】
なお、図４に示した入力画面５０において、処方入力ボタン５５が操作された場合には、指定画面６０に代わって薬剤の一覧が表示された指定画面に切り替わり、医師によって指定された薬剤の情報が薬剤部門システムサーバ等に送信されるようになっている。
【００４８】
続いて、採血量算出処理について説明する。
まず、検査項目テーブル３１について述べる。図７は検査項目テーブルの構成例である。検査項目テーブル３１には、検査項目コード、検査項目名、採取容器コードおよび必要血清量の関係が記録されている。
【００４９】
図７の例では、検査項目コード０００００１００〜０００００４００には検査に血清を用いるＳｃｌ−７０、リゾチーム、ＣＨ５０、抗ＤＮＡ抗体の各検査項目がそれぞれ対応付けられており、いずれも採取容器コードは００１、必要血清量はＳｃｌ−７０、リゾチームおよびＣＨ５０が０．５ｍｌ、抗ＤＮＡ抗体が０．２ｍｌであることが記録されている。なお、採取容器コード００１は、採取容器が汎用容器であることを示している。
【００５０】
また、検査項目コード００００１１００〜００００１３００には検査に血液をそのまま用いる赤血球数、白血球数、血小板数の各検査項目がそれぞれ対応付けられており、いずれも採取容器コードは０１１である。赤血球数、白血球数、血小板数については、採取した血液をそのまま検査に用いるため、必要血清量は設定されない。なお、採取容器コード０１１は、採取容器が血液学的容器であることを示している。
【００５１】
このような検査項目テーブル３１の内容は、検査部門システム端末２３から検査部門システムサーバ２１にアクセスして、あるいは直接検査部門システムサーバ２１において、あらかじめ設定しておくことができる。
【００５２】
図８は検査項目テーブルの設定画面の表示例である。検査項目テーブル３１の設定の際、検査部門システム端末２３等には、この図８に示すように、検査項目コード、検査項目名、採取容器コード、採取容器の種類、必要血清量を入力可能な入力画面７０が表示される。
【００５３】
検査項目コードの入力欄７１には、設定する検査項目コードが入力される。同様に、検査項目名の入力欄７２にはＳｃｌ−７０や赤血球数といった検査項目名が、採取容器についての入力欄７３にはそのコードと種類が、必要血清量の入力欄７４には設定する検査項目の必要血清量の値が、それぞれ入力される。血清を用いない検査項目を検査項目テーブル３１に設定する場合には、この必要血清量の入力欄７４は空白にする。図８には、検査項目コードの入力欄７１に０００００１００と、検査項目名の入力欄７２にＳｃｌ−７０と、採取容器についての入力欄７３にコード００１および汎用容器と、必要血清量の入力欄７４に０．５ｍｌと、それぞれ入力した場合を例示している。
【００５４】
このようにして各入力欄７１〜７４に入力が行われた後、登録ボタン７５が操作されると、その入力内容が検査項目テーブル３１に登録される。登録前にクリアボタン７６が操作されれば、入力途中の内容がクリアされる。また、登録済みの検査項目テーブル３１の内容を読み出して表示させた上で削除ボタン７７が操作されれば、その登録内容が検査項目テーブル３１内から削除される。
【００５５】
次いで、採取容器テーブル３２について述べる。図９は採取容器テーブルの構成例である。採取容器テーブル３２には、採取容器コード、採取容器の種類、採取容量、算出区分、保存量および補正値の関係が記録されている。
【００５６】
上述のように、採取容器コード００１は汎用容器であることを示し、採取容器コード０１１は血液学的容器であることを示している。ここでは、汎用容器として採取容量３ｍｌ，６ｍｌ，９ｍｌの３種類が設定されており、血液学的容器として採取容量２ｍｌの１種類が設定されている。
【００５７】
算出区分２は必要採血量を算出することを示し、算出区分１は必要採血量を計算せずに求めることを示している。汎用容器は、血清を用いるＳｃｌ−７０、リゾチーム、ＣＨ５０、抗ＤＮＡ抗体の検査の採血に用いられ、必要血清量から必要採血量を算出する必要があるので算出区分２が設定されている。血液学的容器は、血液をそのまま用いる赤血球数、白血球数、血小板数の検査の採血に用いられ、必要採血量の算出が不要であるので算出区分１が設定されている。
【００５８】
保存量および補正値は必要採血量の算出に用いる値であり、したがって、算出区分２の場合に設定され、算出区分１の場合には設定されない。なお、この保存量は一定期間保存しておくべき血清量の値であり、補正値はここでは血清が採血量のちょうど半分であるとしたときに血清量から採血量を求めるための値である。
【００５９】
このような採取容器テーブル３２の内容は、検査部門システム端末２３から検査部門システムサーバ２１にアクセスして、あるいは直接検査部門システムサーバ２１において、あらかじめ設定しておくことができる。
【００６０】
図１０は採取容器テーブル設定画面の表示例である。採取容器テーブル３２の設定の際、検査部門システム端末２３等には、この図１０に示すように、採取容器コード、採取容器の種類、採取容量、算出区分、保存量、補正値を入力可能な設定画面８０が表示される。
【００６１】
採取容器コードの入力欄８１には、設定する採取容器コードが、採取容器の種類の入力欄８２には汎用容器、血液学的容器といった種類が、それぞれ入力される。同様に、採取容量の入力欄８３には１種類または２種類以上の採取容器の容量が、算出区分の入力欄８４には１または２が、保存量の入力欄８５には血清の保存量が、補正値の入力欄８６には採血量の算出に用いる補正値が、それぞれ入力される。図１０には、採取容器コードの入力欄８１に００１と、採取容器の種類の入力欄８２に汎用容器と、採取容量の入力欄８３に３（ｍｌ），６（ｍｌ），９（ｍｌ）と、算出区分の入力欄８４に２と、保存量の入力欄８５に０．５（ｍｌ）と、補正値の入力欄８６に２．０と、それぞれ入力した場合を例示している。
【００６２】
このようにして各入力欄８１〜８６に入力が行われた後、登録ボタン８７が操作されると、その入力内容が採取容器テーブル３２に登録される。登録前にクリアボタン８８が操作されれば、入力途中の内容がクリアされる。また、登録済みの採取容器テーブル３２の内容を読み出して表示させた上で削除ボタン８９が操作されれば、その登録内容が採取容器テーブル３２内から削除される。
【００６３】
検査部門システムサーバ２１では、このような検査項目テーブル３１および採取容器テーブル３２を用いて採血量算出処理が行われる。
図１１は採血量算出処理部の機能ブロック図である。採血量算出処理部３０は、検査項目コード抽出手段３０ａ、採取容器コード判定手段３０ｂ、処理終了判断手段３０ｃ、算出区分判定手段３０ｄ、必要血清量算出手段３０ｅ、必要採血量算出手段３０ｆ、使用採取容器判定手段３０ｇ、ラベルデータ生成手段３０ｈ、ラベルデータ出力手段３０ｉを有する。
【００６４】
検査項目コード抽出手段３０ａは、検査部門システムサーバ２１が検査部門システム端末２２から受け取った患者ＩＤを用いて検査依頼ＤＢ２８を検索して特定したその患者の検査オーダから検査項目コードを抽出する。
【００６５】
採取容器コード判定手段３０ｂは、検査項目テーブル３１を参照し、検査項目コード抽出手段３０ａによって抽出された検査項目コードに対応する採取容器コードを判定する。
処理終了判断手段３０ｃは、採取容器コード判定手段３０ｂによって判定された採取容器コードの採取容器について、ラベルデータの生成が終了したか否かを判断する。
【００６６】
算出区分判定手段３０ｄは、採取容器テーブル３２を参照し、採取容器コード判定手段３０ｂによって判定された採取容器コードについて、その算出区分を判定する。
必要血清量算出手段３０ｅは、算出区分判定手段３０ｄによって判定された算出区分に基づき、その採取容器コードの検査項目について、必要に応じ検査項目テーブル３１を参照して必要血清量の総和を算出する。
【００６７】
必要採血量算出手段３０ｆは、必要血清量算出手段３０ｅによって算出された必要血清量を用い、さらに採取容器テーブル３２のその採取容器コードについて設定されている保存量および補正値の各値を用いて、必要採血量を算出する。
【００６８】
使用採取容器判定手段３０ｇは、必要採血量算出手段３０ｆによって算出された必要採血量と、採取容器テーブル３２の該当する採取容器の採取容量とを比較し、算出された必要採血量を採取可能な容量の採取容器を判定する。
【００６９】
ラベルデータ生成手段３０ｈは、採取容器に貼付すべきラベル２５のラベルデータを、必要に応じ検査オーダを用い、生成する。処理終了判断手段３０ｃは、このラベルデータ生成手段３０ｈでラベルデータが生成されたことを、例えばラベルデータに付与されるフラグ等で判断する。
【００７０】
ラベルデータ出力手段３０ｉは、ラベルデータ生成手段３０ｈによって生成されたラベルデータをラベルプリンタ２６に出力する。
図１２は採血量算出処理のフローの一例である。また、図１３は採血量算出処理によって作成されるラベルの一例であって、（Ａ）は汎用容器のラベル、（Ｂ）は血液学的容器のラベルを示している。ただし、ここでは、図５に示したように、検査オーダにおいてすべての検査項目が指定されている場合を例にして説明する。
【００７１】
採血量算出処理では、まず、検査部門システムサーバ２１において、検査部門システム端末２２から受け取った患者ＩＤを用い、検査依頼ＤＢ２８内からその患者の検査オーダが検索される（ステップＳ１）。次いで、その検査オーダに含まれている検査項目コードが抽出され（ステップＳ２）、検査項目テーブル３１からその検査項目コードに対応する採取容器コードが判定される（ステップＳ３）。
【００７２】
ステップＳ１において、図５に示したようにすべての項目が指定された検査オーダが検索された場合には、ステップＳ２では、その検査オーダからそれらすべての項目の検査項目コードが抽出され、汎用容器の採取容器コード００１と血液学的容器の採取容器コード０１１の２種類の採取容器コードが抽出される。
【００７３】
次いで、すべての採取容器コードの採取容器についてラベルデータの生成が行われたか否かが判断される（ステップＳ４）。すべての採取容器についてラベルデータの生成が行われていないと判断された場合には、データ生成が行われていない採取容器について、採取容器テーブル３２からその採取容器コードの算出区分が判定される（ステップＳ５）。
【００７４】
ここでは、採取容器コード００１の汎用容器と採取容器コード０１１の血液学的容器についてラベルデータの生成が行われたか否かが判断され、両方共にデータ生成が済んでいなければ、採取容器テーブル３２から該当する採取容器コードの算出区分が判定される。すなわち、このステップＳ５では、汎用容器のラベルデータの生成が済んでいない場合には算出区分２と判定され、血液学的容器のラベルデータの生成が済んでいない場合には算出区分１と判定される。
【００７５】
そして、ステップＳ５において算出区分２の場合には、検査項目テーブル３１が参照され、該当する採取容器コードの検査項目について、その必要血清量の総和が算出される（ステップＳ６）。ここでは、算出区分２の採取容器コード００１の汎用容器を用いる検査項目はＳｃｌ−７０、リゾチーム、ＣＨ５０および抗ＤＮＡ抗体の４つであり、すべての項目が指定された検査オーダの場合、必要血清量の総和は１．７ｍｌ（＝０．５ｍｌ＋０．５ｍｌ＋０．５ｍｌ＋０．２ｍｌ）になる。
【００７６】
次いで，ステップＳ６で求めた必要血清量の総和に、採取容器テーブル３２の保存量が加えられる（ステップＳ７）。すなわち、このステップＳ７においては、必要血清量の総和１．７ｍｌに、採取容器コード００１について設定されている保存量０．５ｍｌが加えられ、２．２ｍｌが得られる。
【００７７】
次いで、ステップＳ７で求めた値に、採取容器テーブル３２の補正値が掛けられる（ステップＳ８）。すなわち、必要血清量の総和に保存量を加えた２．２ｍｌに、採取容器コード００１について設定されている補正値２．０を掛け、４．４ｍｌが得られる。血清を用いる検査（汎用容器を用いる採血）では、これが必要採血量となる。
【００７８】
次いで、ステップＳ８で算出された必要採血量から、採血に用いる採取容器の容量とその数量が求められる（ステップＳ９）。必要採血量が４．４ｍｌである場合、これが採取容器テーブル３２の採取容器コード００１の汎用容器について設定されている採取容量と比較され、採取容量３ｍｌ＜必要採血量４．４ｍｌ＜採取容量６ｍｌ、の関係より、採血には採取容量６ｍｌの汎用容器が１つ用いられることとなる。
【００７９】
最後に、求められた採取容器の種類と容量、患者ＩＤや患者氏名等に関する情報を含んだラベルデータが生成され、そのデータがラベルプリンタ２６に出力される（ステップＳ１０）。ここでは、図１３（Ａ）に示すような採取容量６ｍｌの汎用容器に貼付されるラベル２５ａが１枚作成される。ラベルデータ出力後は、ステップＳ３に戻る。
【００８０】
また、ステップＳ５において算出区分１の場合には血清を考慮した計算は不要であるので、ステップＳ１０に進み、採取容器テーブル３２に設定されている採取容器の種類と容量を用いてラベルデータが生成、出力される。算出区分１の採取容器コード０１１の血液学的容器を用いる赤血球数、白血球数、血小板数の検査項目の場合、ステップＳ１０では、採取容量２ｍｌの血液学的容器に貼付するラベルデータが生成、出力され、図１３（Ｂ）に示すようなラベル２５ｂが１枚作成される。ラベルデータ出力後は、ステップＳ３に戻る。
【００８１】
ステップＳ３において、すべての採取容器コードの採取容器についてラベルデータの生成が行われたと判断された場合には、検査部門システムサーバ２１は採血量算出処理を終了する。
【００８２】
このような採血量算出処理により、血清を用いる検査のための採血量と血液をそのまま用いる検査のための採血量とが共に求められ、採血には、図１３（Ａ）のラベル２５ａが貼付された採取容量６ｍｌの汎用容器と、図１３（Ｂ）のラベル２５ｂが貼付された採取容量２ｍｌの血液学的容器が用いられる。この場合、採血時には、汎用容器に約６ｍｌの血液が採取され、血液学的容器に約２ｍｌの血液が採取される。ただし、ここでは採取容量６ｍｌの汎用容器に約６ｍｌの血液を採取するようにしているが、必要採血量の分だけ、すなわち約４．４ｍｌの血液を採取するようにしてもよい。
【００８３】
なお、汎用容器を用いる場合であって、算出した必要採血量が９．０ｍｌを超えるような場合には、採取容量９ｍｌの汎用容器に、採取容量３ｍｌ，６ｍｌの汎用容器を組み合わせて、採血に用いる汎用容器の採取容量とその数量を求める。例えば、算出された必要採血量が９．１ｍｌ〜１２．０ｍｌのときには、採取容量９ｍｌの汎用容器と採取容量３ｍｌの汎用容器が用いられ、それぞれの汎用容器にラベルが１枚ずつ作成される。また、算出された必要採血量が１２．１ｍｌ〜１５．０ｍｌのときには、採取容量９ｍｌの汎用容器と採取容量６ｍｌの汎用容器が用いられ、それぞれの汎用容器にラベルが１枚ずつ作成される。
【００８４】
また、ここではラベル２５ａ，２５ｂに採取容器の種類と容量、患者ＩＤ、患者氏名を印刷するようにしたが、要すればラベル２５ａ，２５ｂの記載内容に更に検査項目、伝票番号、検査実施日、年齢、性別などを加えるなどしてもよい。
【００８５】
以上述べたような採血量算出処理によれば、検査に血清が用いられる場合には必要血清量から適切な必要採血量が算出されるので、採血量に過不足が発生することがなく、再採血や必要量以上の採血で患者に無用な負担をかけたり、採血業務が遅延したりするのを防止することができるようになる。さらに、血清の保存量も考慮して必要採血量が算出され、医療業務の適正化、効率化を図れる。また、採血容量が３ｍｌ，６ｍｌ，９ｍｌといったように複数設定されている場合であっても、それらの最適な組み合わせが得られる。また、採血量の算出条件をテーブルウェア化することにより、検査方法の変更などによって必要血清量が変更された場合であっても柔軟に対応することが可能になる。
【００８６】
ところで、以上の説明では、採取容量３ｍｌ，６ｍｌ，９ｍｌの３種類の汎用容器が用いられる場合について述べたが、医療機関によっては例えば採取容量３ｍｌの汎用容器１種類のみが用いられる場合もある。そのような場合には、次の図１４に示すような採取容器テーブル３２ａを用い、上記同様の採血量算出処理を行えばよい。
【００８７】
図１４は採取容器テーブルの別の構成例である。また、図１５は採血量算出処理によって作成される汎用容器のラベルの別の例である。
この図１４に示す採取容器テーブル３２ａには、採取容器コード、採取容量、算出区分、保存量および補正値の関係が記録されており、採取容器コード００１の汎用容器は、採取容量３ｍｌの１種類のみが設定されている。その他の構成は図９に示した採取容器テーブル３２と同じである。このような採取容器テーブル３２ａの設定は、検査部門システム端末２３から、図１０に示した設定画面８０において、採取容量の入力欄８３に３（ｍｌ）のみを入力すればよい。
【００８８】
ここで、例えば汎用容器が用いられるＳｃｌ−７０、リゾチーム、ＣＨ５０および抗ＤＮＡ抗体の４つの検査項目が実施される場合には、上記フローのステップＳ１〜Ｓ８に従い、必要血清量の総和１．７ｍｌに保存量０．５ｍｌを加え、補正値２．０を掛けて、必要採血量４．４ｍｌを得る。汎用容器はここでは採取容量３ｍｌの１種類のみであり、必要採血量４．４ｍｌ＞採取容量３ｍｌ、の関係があり、かつ、余り１．４ｍｌ＜採取容量３ｍｌ、の関係があるので、上記ステップＳ９では採血に２つの汎用容器が必要になると判定される。したがって、上記ステップＳ１０においては、図１５に示すような採取容器の種類と容量、患者ＩＤ、患者氏名が印刷された２枚のラベル２５ｃを作成するようなラベルデータが生成、出力される。
【００８９】
また、以上の説明では、検査部門システム側で採血量算出処理が行われる場合について述べたが、オーダリング／電子カルテシステム側で採血量算出処理を行う構成とすることもできる。図１６は採血量算出システムの別の構成例である。ただし、図１６では、図１に示した要素と同一の要素については同一の符号を付し、その説明の詳細は省略する。
【００９０】
図１６に示す採血量算出システム１ａは、電子カルテシステム端末９１，９２、電子カルテシステムサーバ９３およびラベルプリンタ２６を有する電子カルテシステムを用いて構成される。電子カルテシステムサーバ９３は、電子カルテシステム端末９１に入力された検査オーダを格納する検査オーダＤＢ１３および採血量算出処理部３０を有する。採血量算出処理部３０における採血量の算出処理には、検査項目テーブル３１および採取容器テーブル３２が用いられる。検査項目テーブル３１および採取容器テーブル３２の設定は、電子カルテシステム端末９２あるいは電子カルテシステムサーバ９３を用いて行われる。
【００９１】
このような採血量算出システム１ａにおいては、患者に血液検査が必要と判断された場合、医師が電子カルテシステム端末９１に検査オーダを入力する。入力された検査オーダは、電子カルテシステムサーバ９３に送られ、検査オーダＤＢ１３に格納される。そして、電子カルテシステムサーバ９３では、検査オーダＤＢ１３に格納された検査オーダを基に、採血量算出処理部３０によって検査項目テーブル３１および採取容器テーブル３２を用いて必要採血量が算出される。その際、電子カルテシステムサーバ９３では、検査オーダＤＢ１３から検査オーダが検索され、その検査オーダに含まれる検査項目コードが検査項目コード抽出手段３０ａによって抽出される。この検査項目コードを用いて以降の処理が行われる。必要採血量の算出後、採取容器が求められてラベルデータが生成、出力され、ラベル２５が作成される。
【００９２】
このような採血量算出システム１ａによれば、例えば、診察室での医師による診察の後、そのままその診察室や近くの別室で採血が行われるような場合であっても、適切な採血量を算出し、採血に用いる採取容器のラベル２５を作成することができる。これにより、検査部門システム２０を有しないような医療機関においても採血量算出処理が可能になる。また、勿論、上記の採血量算出システム１のオーダリング／電子カルテシステム１０に、この図１６に示したような採血量算出システム１ａを組み込み、オーダリング／電子カルテシステム１０と検査部門システム２０のいずれにおいても採血量算出処理が行える構成とすることも可能である。その場合、システム内のサーバ同士や端末同士は、上記処理機能を実現できる限り適当に統合しても構わない。
【００９３】
なお、以上の説明では、検査部門システムサーバ２１や電子カルテシステムサーバ９３に採血量算出処理部３０を備え、これらのサーバを、必要採血量を算出する採血量算出処理装置として機能させる構成としたが、サーバとは別個の採血量算出処理装置を、ＬＡＮ等を介してサーバに接続する構成としてもよい。
【００９４】
また、以上の説明において、上記処理機能はコンピュータによって実現され、採血量算出処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ(Digital Versatile Disc)、ＤＶＤ−ＲＡＭ(Random Access Memory)、ＣＤ−ＲＯＭ(Compact Disc Read Only Memory)、ＣＤ−Ｒ(Recordable)／ＲＷ(ReWritable)などがある。光磁気記録媒体には、ＭＯ(Magneto-Optical disk)などがある。
【００９５】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００９６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９７】
（付記１）  コンピュータに採血量を算出する処理を実行させる採血量算出処理プログラムにおいて、
コンピュータを、
患者の検査オーダから検査項目を抽出する抽出手段、
前記検査項目の検査に必要な血清量が記録された検査項目テーブルを参照して、前記血清量を用いて採血量を算出する算出手段、
として機能させることを特徴とする採血量算出処理プログラム。
【００９８】
（付記２）  前記算出手段は、前記採血量を血清の保存量を考慮して算出することを特徴とする付記１記載の採血量算出処理プログラム。
（付記３）  採血に用いられる採取容器に関する情報が記録された採取容器テーブルを参照して、前記採血量を採取可能な前記採取容器を判定する判定手段を有することを特徴とする付記１記載の採血量算出処理プログラム。
【００９９】
（付記４）  前記判定手段によって判定された前記採取容器に貼付されるラベルの記載内容を示すデータを生成する生成手段を有することを特徴とする付記３記載の採血量算出処理プログラム。
【０１００】
（付記５）  採血量を算出する採血量算出処理装置において、
患者の検査オーダから検査項目を抽出する抽出手段と、
前記検査項目の検査に必要な血清量が記録された検査項目テーブルを参照して、前記血清量を用いて採血量を算出する算出手段と、
を有することを特徴とする採血量算出処理装置。
【０１０１】
（付記６）  コンピュータに採血量を算出する処理を実行させる採血量算出処理プログラムを記録した採血量算出処理プログラム記録媒体において、
コンピュータを、
患者の検査オーダから検査項目を抽出する抽出手段、
前記検査項目の検査に必要な血清量が記録された検査項目テーブルを参照して、前記血清量を用いて採血量を算出する算出手段、
として機能させることを特徴とする採血量算出処理プログラムを記録した採血量算出処理プログラム記録媒体。
【図面の簡単な説明】
【０１０２】
【図１】採血量算出システムの原理説明図である。
【図２】検査項目と採血量の関係の説明図であって、（Ａ）は採血後の血液をそのまま検査に用いる場合、（Ｂ）は採血後の血液から分離した血清を検査に用いる場合をそれぞれ示している。
【図３】コンピュータのハードウェア構成例である。
【図４】患者ＩＤ等の入力画面の表示例である。
【図５】依頼する検査項目の指定画面の表示例である。
【図６】検査オーダＤＢの構成例である。
【図７】検査項目テーブルの構成例である。
【図８】検査項目テーブルの設定画面の表示例である。
【図９】採取容器テーブルの構成例である。
【図１０】採取容器テーブル設定画面の表示例である。
【図１１】採血量算出処理部の機能ブロック図である。
【図１２】採血量算出処理のフローの一例である。
【図１３】採血量算出処理によって作成されるラベルの一例であって、（Ａ）は汎用容器のラベル、（Ｂ）は血液学的容器のラベルを示している。
【図１４】採取容器テーブルの別の構成例である。
【図１５】採血量算出処理によって作成される汎用容器のラベルの別の例である。
【図１６】採血量算出システムの別の構成例である。
【符号の説明】
【０１０３】
１，１ａ  採血量算出システム
１０  オーダリング／電子カルテシステム
１１ａ，１１ｂ，１１ｃ  オーダリングシステム端末
１２  オーダリングシステムサーバ
１３  検査オーダＤＢ
１４  オーダ連携処理部
２０  検査部門システム
２１  検査部門システムサーバ
２２，２３  検査部門システム端末
２４  カードリーダ
２５，２５ａ，２５ｂ，２５ｃ  ラベル
２６  ラベルプリンタ
２７  検査依頼連携処理部
２８  検査依頼ＤＢ
３０  採血量算出処理部
３０ａ  検査項目コード抽出手段
３０ｂ  採取容器コード判定手段
３０ｃ  処理終了判断手段
３０ｄ  算出区分判定手段
３０ｅ  必要血清量算出手段
３０ｆ  必要採血量算出手段
３０ｇ  使用採取容器判定手段
３０ｈ  ラベルデータ生成手段
３０ｉ  ラベルデータ出力手段
３１  検査項目テーブル
３２，３２ａ  採取容器テーブル
４０  診察カード
５０，７０  入力画面
５１  医師の氏名
５２  診療科名
５３  患者ＩＤ
５４  検査入力ボタン
５５  処方入力ボタン
６０  指定画面
６１  検査項目一覧
６２  送信ボタン
６３  戻るボタン
７１，７２，７３，７４，８１，８２，８３，８４，８５，８６  入力欄
７５，８７  登録ボタン
７６，８８  クリアボタン
７７，８９  削除ボタン
８０  設定画面
９１，９２  電子カルテシステム端末
９３  電子カルテシステムサーバ
１００  血液学的容器
１０１，２０１  血液
２００  汎用容器
２０２  血清部分
３００  コンピュータ
３０１  ＣＰＵ
３０２  ＲＯＭ
３０３  ＲＡＭ
３０４  ＨＤＤ
３０５  グラフィック処理部
３０５ａ  表示装置
３０６  入力Ｉ／Ｆ
３０６ａ  マウス
３０６ｂ  キーボード
３０７  通信Ｉ／Ｆ
３０８  バス
【図１】
2005202451.tif 000003
【図２】
2005202451.tif 000004
【図３】
2005202451.tif 000005
【図４】
2005202451.tif 000006
【図５】
2005202451.tif 000007
【図６】
2005202451.tif 000008
【図７】
2005202451.tif 000009
【図８】
2005202451.tif 000010
【図９】
2005202451.tif 000011
【図１０】
2005202451.tif 000012
【図１１】
2005202451.tif 000013
【図１２】
2005202451.tif 000014
【図１３】
2005202451.tif 000015
【図１４】
2005202451.tif 000016
【図１５】
2005202451.tif 000017
【図１６】
2005202451.tif 000018